(57)【要約】【課題】フロントローダの動作に連動させて、エンジンの回転数や変速機の変速比などを自動的に変更するトラクタを提供する。【解決手段】トラクタ１０は、エンジン１６と、油圧無段変速機３０と、通信制御ユニット７３と、油圧ポンプと、を備える。通信制御ユニット７３は、エンジン１６の回転数及び油圧無段変速機３０の変速比を制御する。油圧ポンプは、エンジン１６の出力によって動作する。トラクタ１０には、油圧ポンプからの圧油によってバケットを昇降駆動するフロントローダ１４を連結可能である。通信制御ユニット７３は、ＣＡＮによって、フロントローダ１４と接続されており、ジョイスティック２６に行われた操作内容を当該ＣＡＮにより受信して、エンジン１６の回転数及び油圧無段変速機３０の変速比の両方を変更する制御を行う。【選択図】図５
2015227612.tif 000002
【特許請求の範囲】
【請求項１】
エンジンと、
前記エンジンの出力を変速することにより、車速を変更する変速機と、
前記エンジンの回転数及び前記変速機の変速比を制御する制御部と、
前記エンジンの出力によって動作する油圧ポンプと、
を備えたトラクタであって、
当該トラクタには、前記油圧ポンプからの圧油によってバケットを昇降駆動するフロントローダを連結可能であり、
前記制御部は、ＣＡＮ（Ｃｏｎｔｒｏｌｌｅｒ  Ａｒｅａ  Ｎｅｔｗｏｒｋ）によって、前記フロントローダと接続されており、前記フロントローダを操作するための操作具に行われた操作内容を当該ＣＡＮにより受信して、前記エンジンの回転数及び前記変速機の変速比の両方を変更する制御を行うことを特徴とするトラクタ。
【請求項２】
請求項１に記載のトラクタであって、
操作量に応じて変速比が変更されることで車速が変更される変速設定手段が設けられており、
前記操作具には、当該操作具を傾動させて前記フロントローダを動かす操作とは別に、当該操作具に設けられたエンジン回転数変更手段への操作を行うことが可能であり、
前記制御部は、前記エンジン回転数変更手段が操作された際には、前記変速設定手段がニュートラルであるか否かにかかわらず、前記エンジンの回転数を変化させることを特徴とするトラクタ。
【請求項３】
請求項２に記載のトラクタであって、
前記操作具には、車速上昇手段と、車速減少手段と、が設けられており、
前記制御部は、前記車速上昇手段が操作された際には前記変速設定手段の操作量に対応する車速を上昇させ、前記車速減少手段が操作された際には前記変速設定手段の操作量に対応する車速を減少させることを特徴とするトラクタ。
【発明の詳細な説明】
【技術分野】
【０００１】
本発明は、主として、トラクタにおいてフロントローダを用いた作業を行う際の制御に関する。
【背景技術】
【０００２】
農業用トラクタなどの作業車両において、その車体にフロントローダを連結して、当該フロントローダによって土作業等を行うことができる構成が知られている。このようなトラクタ及びフロントローダは、例えば特許文献１に開示されている。この種のフロントローダは、油圧シリンダによって駆動されるように構成される。当該油圧シリンダは、作業車両のエンジンによって駆動される油圧ポンプから圧油の供給を受けて駆動される。
【０００３】
フロントローダにおいて、例えばバケットで土砂をすくいあげてアームを上昇させるような作業を行う場合は、エンジンの低回転領域では油圧ポンプの吐出量が少ないため動作が遅くなりがちである。このため、エンジンの低回転領域ではフロントローダによる作業がスムーズに行えないという課題があった。
【０００４】
特許文献１は、フロントローダの操作具（ジョイスティック）の操作角度に応じてエンジンの回転数を増大させ、油圧ポンプを自動的に増速駆動させる構成を開示している。特許文献１は、これにより、エンジンの自動増速によってリフトアームを速やかに上昇させることができ、バケットを上昇させるなどの高負荷持ち上げ作業を敏速に行うことができるので、取扱い操作性の向上を容易に図ることができる、としている。
【０００５】
また特許文献２は、フロントローダの操作具（操作レバー）にエンジンの回転数を調整する操作部材を設けたトラクタを開示している。特許文献２は、これにより、操作レバーから手を離すことなくエンジンの回転数と調整することができるので、所望の作業を安全かつ的確に行うことができるとしている。
【先行技術文献】
【特許文献】
【０００６】
【特許文献１】特許第３９３０６４２号公報
【特許文献２】特開平８−２１２６６号公報
【発明の概要】
【発明が解決しようとする課題】
【０００７】
特許文献１が開示するトラクタは、リバーサレバーの中立（ニュートラル）、又はクラッチの切断を検出したことを条件として、ジョイスティックの操作角度に応じたエンジンの自動増速を行うように構成されている。これは、エンジンの回転数を自動的に増速する制御を行う際に、オペレータの意図しないタイミングで車速が変化してしまうことを防止するためである。即ち、リバーサニュートラルの場合又はクラッチ切の場合であれば、車体は完全に停止状態であるから、オペレータの意図に反したタイミングで車速が勝手に変更されてしまうことがない。
【０００８】
ところが上記特許文献１の構成では、リバーサが非ニュートラル、かつクラッチ入の状態の場合にはエンジン回転数の自動増速を行うことができない構成なので、当然ながら、トラクタの走行中は前記自動増速制御を行うことができない。このため、トラクタを走行させながらのローダ作業をスムーズに行うことができないという課題があった。また、特許文献１の構成では、エンジンの自動増速制御が必要になるたびに、リバーサレバーのニュートラル操作、又はクラッチの切断操作を行わなければならないので、操作性が悪いという問題もある。
【０００９】
一方、特許文献２には、エンジンの回転数を変更する際に、リバーサのニュートラルやクラッチの切断を条件とする旨の記載はない。しかしながら、特許文献２は傾斜地での作業を前提としており、車体にブレーキをかけた状態（車体を停止させた状態）で作業を行うこととしている。特許文献２の構成であっても、車体を走行させている状態でエンジンの回転数を上昇させれば、オペレータの意図に反して車速が上昇してしまうと考えられる。従って、特許文献２に記載のトラクタにおいて、フロントローダの操作レバーによるエンジン回転数の操作は、車体走行中に行うには問題がある。
【００１０】
本発明は以上の事情に鑑みてされたものであり、その主要な目的は、フロントローダの動作に連動させて、エンジンの回転数や変速機の変速比などを自動的に変更するトラクタを提供することにある。
【課題を解決するための手段及び効果】
【００１１】
本発明の解決しようとする課題は以上の如くであり、次にこの課題を解決するための手段とその効果を説明する。
【００１２】
本発明の観点によれば、以下の構成のトラクタが提供される。即ち、このトラクタは、エンジンと、変速機と、制御部と、油圧ポンプと、を備える。前記変速機は、前記エンジンの出力を変速することにより、車速を変更する。前記制御部は、前記エンジンの回転数及び前記変速機の変速比を制御する。前記油圧ポンプは、前記エンジンの出力によって動作する。トラクタには、前記油圧ポンプからの圧油によってバケットを昇降駆動するフロントローダを連結可能である。前記制御部は、ＣＡＮ（Ｃｏｎｔｒｏｌｌｅｒ  Ａｒｅａ  Ｎｅｔｗｏｒｋ）によって、前記フロントローダと接続されており、前記フロントローダを操作するための操作具に行われた操作内容を当該ＣＡＮにより受信して、前記エンジンの回転数及び前記変速機の変速比の両方を変更する制御を行う。
【００１３】
前記のトラクタにおいては、以下の構成とすることが好ましい。即ち、トラクタには、操作量に応じて変速比が変更されることで車速が変更される変速設定手段が設けられている。前記操作具には、当該操作具を傾動させて前記フロントローダを動かす操作とは別に、当該操作具に設けられたエンジン回転数変更手段への操作を行うことが可能である。前記制御部は、前記エンジン回転数変更手段が操作された際には、前記変速設定手段がニュートラルであるか否かにかかわらず、前記エンジンの回転数を変化させる。
【００１４】
この構成によれば、オペレータがエンジン回転数変更手段を操作することで、任意のタイミングでエンジン回転数を変更することができる。
【００１５】
前記のトラクタにおいては、以下の構成とすることが好ましい。即ち、前記操作具には、車速上昇手段と、車速減少手段と、が設けられている。前記制御部は、前記車速上昇手段が操作された際には前記変速設定手段の操作量に対応する車速を上昇させ、前記車速減少手段が操作された際には前記変速設定手段の操作量に対応する車速を減少させる。
【００１６】
このように、フロントローダの操作具によって車速を変更できるように構成することで、ローダ作業中であっても容易に車速を変更することができる。
【図面の簡単な説明】
【００１７】
【図１】本発明の一実施形態に係るトラクタの側面図。
【図２】駆動伝達機構を示すスケルトン図。
【図３】運転座席近傍の様子を示す側面図。
【図４】フロントローダのジョイスティックの斜視図。
【図５】ＣＡＮによるネットワークの構成を示すブロック図。
【発明を実施するための形態】
【００１８】
次に、図面を参照して本発明の実施の形態を説明する。図１に示すように、本実施形態に係る作業車両としての農業用トラクタ１０は、オペレータが搭乗するためのキャビン１１と、左右一対の前輪１２及び後輪１３と、を備えた車体を有している。このトラクタ１０の前後には、フロントローダ１４を連結することが可能に構成されている。
【００１９】
また図２に示すように、トラクタ１０は、駆動源としてのエンジン１６と、当該エンジン１６の回転駆動力を変速して前輪１２及び後輪１３に伝える油圧無段変速機（変速機）３０を備える。また、トラクタ１０は、エンジン１６によって駆動される油圧ポンプ２９を備えている。この油圧ポンプ２９からの圧油は、トラクタ１０の各部と、車体前方に連結されたフロントローダ１４に供給することができるようになっている。
【００２０】
フロントローダ１４は、トラクタ１０の車体に取り付けられるローダフレーム１７と、ローダフレーム１７に軸を介して連結されたリフトアーム１８と、リフトアーム１８の先端に軸を介して取り付けられたバケット１９と、を有する。更に、フロントローダ１４は、リフトアーム１８を上下昇降するアームシリンダ２０と、バケット１９をダンプ又はスクイ動作させるためのダンプシリンダ２１とを備えている。アームシリンダ２０及びダンプシリンダ２１は油圧シリンダとして構成されており、トラクタ１０が備える前述の油圧ポンプ２９から供給される圧油によって駆動される。
【００２１】
本実施形態のトラクタ１０の駆動伝達機構について、図２を参照して説明する。
【００２２】
エンジン１６の回転駆動力は、油圧無段変速機３０の変速入力軸３１に入力される。この油圧無段変速機３０は、ＨＳＴ（静油圧式変速装置）として構成されており、変速入力軸３１に入力されたエンジン１６の回転駆動力を、無段階に変速して、変速出力軸３２から出力することが可能に構成されている。
【００２３】
具体的には、油圧無段変速機３０は、可変容量ポンプ部５３と、固定容量モータ部５９と、から構成されている。可変容量ポンプ部５３は、可変斜板式の可変容量アキシャルピストンポンプとして構成され、変速入力軸３１に入力された駆動力によって駆動されることにより、圧油を吐出する。固定容量モータ部５９は、固定斜板式の固定容量アキシャルピストンモータとして構成され、可変容量ポンプ部５３からの圧油によって変速出力軸３２を回転駆動するように構成されている。以上の構成で、可変容量ポンプ部５３の可動斜板の角度を無段階に変更することにより、固定容量モータ部５９が変速出力軸３２を回転する速度を無段階で変速することができる。即ち、変速入力軸３１に入力されたエンジン１６の回転駆動力を、無段階に変速して、変速出力軸３２から出力することができるようになっている。
【００２４】
なお、本実施形態の油圧無段変速機３０は、変速入力軸３１と変速出力軸３２とが同軸に配置された、いわゆるインライン式のＨＳＴとして構成されている。インライン式のＨＳＴは、例えば特開２０１０−２６０４６７号公報に開示されているので、詳しい説明は省略する。
【００２５】
変速出力軸３２の回転駆動力は、クラッチ機構３４等を介してクラッチ出力軸３５に伝達される。クラッチ出力軸３５の回転は後輪差動装置３６を介して左右の後車軸３７に分配され、後輪１３を回転駆動する。なお本実施形態のトラクタ１０は、四輪駆動方式で車体を走行させることも可能に構成されている。具体的には、前輪クラッチ機構３８を接続状態とすることにより、クラッチ出力軸３５の回転が前輪駆動出力軸３９に入力される。前輪駆動出力軸３９の回転は前輪差動装置４０を介して左右の前車軸４１に分配され、前輪１２を駆動する。
【００２６】
以上のように、油圧無段変速機３０の出力によって、後輪１３（及び前輪１２）を駆動し、車体を走行させるように構成されている。そして、油圧無段変速機３０の出力は無段階で変速可能であるから、車体の走行速度も無段階で変更可能となっている。
【００２７】
一方、エンジン１６からの回転駆動力が入力される変速入力軸３１には、入力ギア４２が設けられ、ここから駆動力が取り出されてポンプ駆動軸４３を駆動するように構成されている。ポンプ駆動軸４３には、前述の油圧ポンプ２９が接続されている。この構成で、エンジン１６の回転駆動力により、油圧ポンプ２９が駆動されるようになっている。
【００２８】
なお、入力ギア４２によって変速入力軸から取り出されたエンジン１６の駆動力は、ＰＴＯ変速部４５で変速されたのち、ＰＴＯ軸（駆動取出軸）４６から取り出すことができるようになっている。
【００２９】
次に、本実施形態のトラクタ１０の運転座席まわりの構成について、図３を参照して説明する。
【００３０】
トラクタ１０のキャビン１１内には、図３に示すように、オペレータが搭乗するための運転座席２２が設けられている。運転座席２２の前方には操向ハンドル２３が、運転座席２２の側方近傍には、油圧無段変速機３０の変速比を設定する変速レバー（変速設定手段）２４が、それぞれ配置されている。オペレータは、変速レバー２４を傾動操作することにより、トラクタ１０の車速を無段階に変更することができる。また、運転座席２２の前方には、現在の車速など、トラクタ１０の各種状態を表示する表示パネル２５が配置されている。
【００３１】
表示パネル２５の近傍には、アクセルレバー７４と、回転数上限設定ダイヤル（回転数上限設定手段）７５と、が配置されている。オペレータは、アクセルレバー７４を傾動操作することにより、エンジン１６の回転数を設定することができる。回転数上限設定ダイヤル７５は、エンジン１６の最大回転数をオペレータが設定するためのものである。このように最大回転数を予め設定しておくことで、アクセルレバー７４を最大まで操作したときに、エンジン１６の回転数の上昇が、設定された回転数で自動的に止まる。これにより、所望のエンジン回転数を簡単に得ることができる。
【００３２】
また、運転座席２２の近傍には、ローダコントロールボックス２７と、ジョイスティック２６と、が配置されている。オペレータは、ローダコントロールボックス２７を操作することにより、フロントローダ１４に関する各種の設定を行うことができる。ジョイスティック２６はフロントローダ１４の操作具であり、図４に示すように、前後左右に傾動操作することでフロントローダ１４の上下昇降及びダンプ／スクイ動作が可能に構成されている。より具体的には、ジョイスティック２６を前後に傾動操作することにより、アームシリンダ２０を伸縮させて、リフトアーム１８を上下に昇降させることができる。また、ジョイスティック２６を左右に傾動操作することにより、ダンプシリンダ２１を伸縮させて、バケット１９の姿勢をダンプ姿勢（バケット１９の先端が下を向いた姿勢）とスクイ姿勢（バケット１９の先端が上を向いた姿勢）との間で変更することができるように構成されている。なお、ジョイスティック２６には、エンジン回転数アップスイッチ（エンジン回転数変更手段）７０、最高車速アップスイッチ（車速上昇手段、車速変更手段）７１、最高車速ダウンスイッチ（車速減少手段、車速変更手段）７２が設けられている。
【００３３】
また、運転座席２２の近傍には、トラクタ側コントロールボックス２８が配置されている。オペレータは、トラクタ側コントロールボックス２８を操作することにより、トラクタ１０に連結された作業機に関する各種設定を行うことができる。
【００３４】
次に、本実施形態のトラクタ１０のＣＡＮ（Ｃｏｎｔｒｏｌｌｅｒ  Ａｒｅａ  Ｎｅｔｗｏｒｋ）の構成について説明する。なお、ＣＡＮとは、自動車等において機器間の相互通信に用いられる公知の規格であり、耐ノイズ性に優れ信頼性が高いなどの特徴がある。図５に示すように、本実施形態のトラクタ１０には、ＣＡＮによるネットワークが構成されている。このトラクタ１０のネットワークには、エンジン１６、油圧無段変速機３０、トラクタ側コントロールボックス２８、表示パネル２５、変速レバー２４、アクセルレバー７４、回転数上限設定ダイヤル７５等、トラクタ１０が有する各構成が接続されている。また、トラクタ１０のＣＡＮには、ネットワークの通信の制御を行う通信制御ユニット（制御部）７３が接続されている。
【００３５】
通信制御ユニット７３は、トラクタ１０の各構成（エンジン１６や油圧無段変速機３０など）と通信を行うことにより、エンジン１６の回転数や、油圧無段変速機３０の変速比などを制御することができるように構成されている。例えば、通信制御ユニット７３は、アクセルレバー７４の操作量を取得するとともに、エンジン１６と通信を行うことにより、当該エンジン１６の回転数を、前記アクセルレバー７４の操作量に応じた回転数に変更する。これにより、オペレータは、アクセルレバー７４を操作することで所望のエンジン回転数を得ることができる。このとき、通信制御ユニット７３は、回転数上限設定ダイヤル７５で設定された回転数を超えないように、エンジン１６の回転数を変更する。
【００３６】
また、通信制御ユニット７３は、変速レバー２４の操作量を取得するとともに、油圧無段変速機３０と通信を行い、変速レバー２４の操作量に応じて、油圧無段変速機３０の可動斜板の傾斜角を変更する。これにより、オペレータは、変速レバー２４を操作することで、変速出力軸３２の回転数を無段階に変更し、結果として、車速を無段階で変更することができる。
【００３７】
また図３に示すように、トラクタ１０のＣＡＮには、フロントローダ１４が接続されている。具体的には、フロントローダ１４のジョイスティック２６及びローダコントロールボックス２７が、ＣＡＮによってトラクタ１０の各構成に接続されている。これにより、通信制御ユニット７３は、ジョイスティック２６によって行われたローダ操作に関する情報や、ローダコントロールボックス２７で設定された内容に関する情報を取得することができる。なお、通信制御ユニット７３には、フロントローダ１４の他にも、作業機Ａ、作業機Ｂ、……と他の種類の作業機を接続することもできる。
【００３８】
一方、通信制御ユニット７３は、現在の車速、エンジン１６の回転数など、トラクタ１０に関する情報を、フロントローダ１４及び他の作業機に対して送信することができる。
【００３９】
以上のように、フロントローダ１４と、トラクタ１０と、の間で相互に通信を行うことができるので、通信制御ユニット７３は、フロントローダ１４の動作に連動させて、エンジン１６の回転数や油圧無段変速機３０の変速比などを自動的に変更するように制御することができる。
【００４０】
以下、通信制御ユニット７３による制御について具体的に説明する。
【００４１】
本実施形態のトラクタ１０において、通信制御ユニット７３は、リフトアーム１８の上昇動作、又はスクイ動作のときなど、フロントローダ１４の負荷が高くなるときにエンジン１６の回転数を自動的に上昇させるように構成されている。これによれば、フロントローダ１４の負荷が高くなったときに、油圧ポンプ２９からの圧油の供給を自動的に増大させることができるので、フロントローダ１４による作業をスムーズに行うことができる。
【００４２】
この機能を実現するため、フロントローダ１４のジョイスティック２６は、オペレータによる操作が行われると、その操作量の情報を通信制御ユニット７３に送信する。通信制御ユニット７３は、ジョイスティック２６の操作量の情報を取得し、上昇操作又はスクイ操作が行われていることを検出した場合には、エンジン１６と通信を行い、当該エンジン１６の回転数を上昇させる。
【００４３】
また、通信制御ユニット７３は、フロントローダ１４のジョイスティック２６が中立位置に戻されたことを検出すると、エンジン１６と通信を行い、回転数を自動的に上昇させる制御を行う直前の回転数まで、エンジン１６の回転数を戻す。これによれば、フロントローダ１４による作業が終了した後は、エンジン１６の回転数が自動的に元の回転数まで戻るので、エンジン１６が高回転状態のままになってしまうことを防ぐことができる。
【００４４】
なお、フロントローダの動作に応じてエンジンの回転数を上昇させる制御は、従来のトラクタでも行われていた（例えば特許文献１）。しかしながら、既に説明したように、従来のトラクタでは、エンジンの回転数を上昇させる制御は、変速レバーのニュートラル又はクラッチの切断を検出した場合にのみ有効とされていたので、車体走行中などに上記の制御を利用することができず、不便であった。
【００４５】
そこで本実施形態のトラクタ１０において、エンジン１６の回転数を自動的に上昇させる際には、通信制御ユニット７３は、油圧無段変速機３０と通信を行い、当該油圧無段変速機３０の変速比を自動的に変更する（可動斜板の傾斜角を自動的に変更する）ことで、変速出力軸３２の回転数を一定に保つように制御を行うように構成されている。
【００４６】
このように、通信制御ユニット７３が、変速出力軸３２の回転数を一定に保つように油圧無段変速機３０の変速比を自動的に変更する制御を行うことで、エンジン１６の回転数を自動的に上昇させたときにも、オペレータの意図に反した車速変化が発生することがない。従って、オペレータの意図しない車速変化を防ぐことを目的として変速レバーをニュートラルにしたり、クラッチを切断したりする必要がなくなる。
【００４７】
そこで、本実施形態のトラクタ１０では、ジョイスティック２６によって上昇又はスクイ操作が行われたときには、変速レバーのニュートラルやクラッチの切断などの条件を必要とせずに、エンジン１６の回転数を上昇させるように構成されている。
【００４８】
これにより、仮に車体走行中であっても、ジョイスティック２６で上昇操作又はスクイ操作が行われたときには、エンジン１６の回転数を自動的に上昇させて油圧ポンプ２９からの圧油の供給量を増大させることができる。しかも、回転数を自動的に上昇させる機能を利用するためにわざわざ変速レバーのニュートラルやクラッチの切断などの操作を行う必要がないので、オペレータはフロントローダ１４による操作に集中することができる。従って、フロントローダ１４による作業をスムーズに行うことができる。
【００４９】
なお、本実施形態のトラクタ１０は、変速比を無段階で制御可能な油圧無段変速機３０を備えているので、エンジン１６の回転数がどのような回転数に変更された場合であっても、車速を一定に保つ制御を行うことができる。即ち、本実施形態のトラクタ１０の構成によれば、車速を保ったままで、エンジン１６の回転数を任意の回転数まで上昇させることができる。従って、本実施形態のトラクタ１０によれば、エンジン１６の回転数を常に最適な回転数とすることができる。
【００５０】
ところで、上記のようにジョイスティック２６の操作に応じてエンジン１６の回転数を変更する制御では、オペレータの任意のタイミングでエンジン１６の回転数を変更することはできない。例えば、ジョイスティック２６が中立位置のときには、通信制御ユニット７３がエンジン１６の回転数を自動的に上昇させることはないので、フロントローダ１４による作業に備えて予めエンジン１６の回転数を上昇させるということができない。
【００５１】
もちろん、アクセルレバー７４を操作すれば任意のタイミングでエンジン１６の回転数を変更することができるが、例えば片手で操向ハンドル２３を操作している状態でアクセルレバー７４を操作しようとすると、ジョイスティック２６から手を離さなければならない。また、アクセルレバー７４を操作してエンジン１６の回転数を変更すると、車速も変化してしまう。
【００５２】
そこで本実施形態のトラクタ１０において、通信制御ユニット７３は、ジョイスティック２６が備えるエンジン回転数アップスイッチ７０が操作された場合に、車速を維持したままエンジン１６の回転数を最高回転数まで上昇させるように構成されている。この機能を実現するため、ジョイスティック２６は、エンジン回転数アップスイッチ７０が操作されると、その旨を通信制御ユニット７３に送信する。通信制御ユニット７３は、エンジン回転数アップスイッチ７０が操作されたことを検出すると、エンジン１６及び油圧無段変速機３０と通信を行い、変速出力軸３２の回転数を一定に保つように（車速を一定に保つように）油圧無段変速機３０の変速比を変更する制御を行いつつ、エンジン１６の回転数を最高回転数まで上昇させる。
【００５３】
これによれば、オペレータの任意のタイミングで、車速を保ったままエンジン１６の回転数を上昇させることができる。もちろん、エンジン回転数アップスイッチ７０の操作によってエンジン１６の回転数を上昇させる際にも、変速レバーのニュートラルやクラッチの切断などが条件とされることはない。従って、エンジン回転数アップスイッチ７０を操作することにより、車体走行中を含めた任意のタイミングでエンジン１６の回転数を上昇させることができる。
【００５４】
なおこのとき、通信制御ユニット７３は、エンジン１６の回転数を、回転数上限設定ダイヤル７５で設定された回転数まで上昇させる。これによれば、エンジン回転数アップスイッチ７０を操作するという簡単な操作だけで、オペレータの所望の回転数までエンジン１６の回転数を上昇させることができるため便利である。しかも、このようにエンジン１６の回転数の上限を設けておけば、エンジン１６が不必要に高回転になってしまうことを防止することができる。
【００５５】
また本実施形態のトラクタ１０において、ジョイスティック２６には、最高車速を設定するための最高車速アップスイッチ７１及び最高車速ダウンスイッチ７２が設けられている。これにより、ジョイスティック２６の操作によって、最高車速を変更することができる。この機能を実現するため、ジョイスティック２６は、最高車速アップスイッチ７１又は最高車速ダウンスイッチ７２が操作されると、その旨を通信制御ユニット７３に送信する。通信制御ユニット７３は、最高車速アップスイッチ７１が操作されたことを検出した場合には、最高車速の設定値を所定値だけ高く設定し直し、最高車速ダウンスイッチ７２が操作されたことを検出した場合には、最高車速の設定値を所定値だけ低く設定し直す。
【００５６】
ここで、「最高車速」というのは、変速レバー２４が最大まで操作されたときの車速を設定するものである。最高車速を設定する操作は、もともと、変速レバー２４による変速操作を、様々な状況で行い易いように調整するためのものである。
【００５７】
例えば、最高車速を低く設定することで、変速レバー２４の操作量に対する車速変化が緩やかになるので、トラクタ１０を低速で走行させつつ、変速レバー２４によって車速を細かく調整したい場合に有効である。一方、最高車速を高く設定すると、変速レバー２４の操作量に対する車速変化が急激になるので、路上走行時など、トラクタ１０を高速で走行させたい場合に有効である。
【００５８】
ところで、最高車速の設定を変更すると、変速レバー２４の操作量と車速との対応関係が変化する結果、現在の変速レバー２４の操作量に対応する車速が変化する。従って、最高車速の設定を変更すると、変速レバー２４を操作しなくても現在の車速が変化する。このように、最高車速の設定変更は、変速レバー２４を操作せずに現在の車速を変更するために利用することもできる。
【００５９】
一方、フロントローダ１４による作業中、オペレータはジョイスティック２６を操作しているので、車速を変更するために変速レバー２４を操作することは必ずしも容易ではない。そこで、ジョイスティック２６に最高車速アップスイッチ７１及び最高車速ダウンスイッチ７２を設け、ジョイスティック２６を握ったままの状態で最高車速を変更することができるようにしたものである。これによれば、ジョイスティック２６を握ったまま（変速レバー２４を操作しなくても）車速を簡単に変更できるので、オペレータはフロントローダ１４の操作に集中することができる。
【００６０】
以上で説明したように、本実施形態のトラクタ１０は、エンジン１６と、油圧無段変速機３０と、通信制御ユニット７３と、油圧ポンプ２９と、を備える。油圧無段変速機３０は、エンジン１６の出力を変速することにより、車速を無段階に変更可能である。通信制御ユニット７３は、エンジン１６の回転数及び油圧無段変速機３０の変速比を制御する。油圧ポンプ２９は、エンジン１６の出力によって動作する。また、このトラクタ１０には、油圧ポンプ２９からの圧油によってバケット１９を昇降駆動するフロントローダ１４を連結可能である。そして、通信制御ユニット７３は、フロントローダ１４のジョイスティック２６に設けられたエンジン回転数アップスイッチ７０が操作された際には、前記車速を一定に保ったままでエンジン１６の回転数を変更するように、エンジン１６の回転数及び油圧無段変速機３０の変速比の制御を行う。
【００６１】
この構成によれば、オペレータがエンジン回転数アップスイッチ７０を操作することで、任意のタイミングでエンジン１６の回転数を変更することができる。しかも、このときに車速を一定に保つように制御を行うことにより、オペレータの意図に反して車速が変更されてしまうことを防止できる。
【００６２】
また本実施形態のトラクタ１０は、エンジン１６の回転数の上限を設定する回転数上限設定ダイヤル７５を備えている。そして、通信制御ユニット７３は、前記回転数上限設定ダイヤル７５で設定された回転数を上限として、エンジン１６の回転数を変更する。
【００６３】
このように、エンジン１６の回転数の上限を予め任意の回転数に設定しておくことで、エンジン１６の回転数を所望の回転数まで上昇させることが容易になる。また、上限を設定しておくことによりエンジン１６の回転数が不必要に上昇してしまうことを防ぐことができる。
【００６４】
また本実施形態のトラクタ１０において、通信制御ユニット７３は、前記車速を一定に保ちつつ、ジョイスティック２６の操作量に応じてエンジン１６の回転数を変更するように制御を行っている。
【００６５】
従来、フロントローダ１４の操作具の操作量に応じたエンジン回転数の自動変更は、オペレータが想定しない車速変化を防ぐため、クラッチの切断又は変速機のニュートラルを条件として使用可能であった。この点、本実施形態のトラクタは、車速を一定に保つ制御を行うことにより、クラッチの切断や変速機のニュートラルなどを条件としなくても、オペレータが想定しない車速変化を防止することができる。従って、例えば車体走行中であっても、エンジン１６の回転数を自動変更する制御を行うことができる。
【００６６】
また、本実施形態のトラクタ１０において、ジョイスティック２６は、車速を変更するための最高車速アップスイッチ７１及び最高車速ダウンスイッチ７２を備えている。
【００６７】
このように、フロントローダ１４のジョイスティック２６によって車速を変更できるように構成することで、ローダ作業中であっても容易に車速を変更することができる。
【００６８】
次に、上記実施形態の変形例について説明する。
【００６９】
上記実施形態では、ジョイスティック２６による上昇／スクイ操作、又はエンジン回転数アップスイッチ７０の操作が行われた場合では、車速を保つように（変速出力軸３２の回転数を保つように）油圧無段変速機３０の変速比を変更する制御を行いつつ、エンジン１６の回転数を上昇させるとして説明した。
【００７０】
ところが、例えば土作業を行っているとき、フロントローダ１４の駆動を行いながら車速を上昇させ、勢いを付けて土砂の山にバケット１９を突入させたい場合などもある。このような場合、ジョイスティック２６の傾動操作や、エンジン回転数アップスイッチ７０の操作によって、エンジン１６の回転数と同時に車速も上昇させると便利だと考えられる。
【００７１】
そこで、通信制御ユニット７３は、車速を保つために油圧無段変速機の変速比を変更する制御をあえて行わないことにより、エンジン１６の回転数を上昇させると同時に車速を上昇させるモードを備えていても良い。車速を保つ制御を行うモードと、行わないモードとの切り替えは、ローダコントロールボックス２７によって行うように構成すれば好適である。
【００７２】
以上で説明したように、この変形例に係るトラクタにおいて、通信制御ユニット７３は、ジョイスティック２６の操作に応じてエンジン１６の回転数を変更する制御を、車速を一定に保つ制御を行わずに行うモードへ切り替え可能である。
【００７３】
例えばフロントローダ１４によって土砂の山を切り崩すような作業を行う場合、車体に勢いをつけた状態でバケット１９を土砂の山に突入させたいことがある。このような場合に、上記のモードで制御を行えば、エンジン回転数を上昇させた際に車速も自動的に上昇するので便利である。
【００７４】
以上に本発明の好適な実施の形態及び変形例を説明したが、上記の構成は例えば以下のように変更することができる。
【００７５】
フロントローダの操作具はジョイスティックとしたが、これに限らず、適宜の構成とすることができる。また、エンジン回転数変更手段はスイッチとしたが、例えばダイヤル状の部材によりエンジン回転数を変更させるように構成しても良い。その他、回転数上限設定手段、車速変更手段なども、上記実施形態の構成に限らず、適宜の構成とすることができる。
【００７６】
上記実施形態では、エンジン回転数を上昇させるエンジン回転数アップスイッチのみを備えた構成を示したが、エンジンの回転数を減少させる手段（例えばエンジン回転数ダウンスイッチ）を備えても良い。また、ジョイスティック２６の操作量に応じてエンジンの回転数を自動的に減少させる制御を行っても良い。エンジンの回転数を減少させる制御を行う場合であっても、車速を保つように油圧無段変速機３０の変速比を変更する制御を行うことにより、オペレータの意図しない車速変化を防止することができる。
【００７７】
上記実施形態では、車速変更手段は、最高車速を変更することにより車速を変更するものとしたが、車速そのものを変更するように制御しても良いのは勿論である。
【００７８】
変速装置は、油圧無段変速装置に限らず、例えばＣＶＴなどでも上記の制御を実現することができる。
【００７９】
また、変速装置は無段変速装置に限らず、有段のギア式変速装置であっても良い。この場合、通信制御ユニットは、変速装置のギアを低速に切り換えるのと同時に、又はこれと前後して、車速が変化しないようにエンジンの回転数を上昇させる。これにより、車速を保ったままでエンジンの回転数を上昇させることができる。ただし、変速装置が有段の場合は、実現できるエンジン回転数に制限があることになる。従って、エンジンの回転数を任意の回転数まで上昇させることができるという点では、変速装置として無段変速装置を利用することが好適である。
【００８０】
本発明の構成は、トラクタに限らず、フロントローダを備える、あるいはフロントローダを取り付け可能な作業車両に広く適用することができる。
【符号の説明】
【００８１】
１０  トラクタ
１４  フロントローダ
１６  エンジン
２４  変速レバー（変速設定手段）
２６  ジョイスティック（操作具）
２７  ローダコントロールボックス（ローダ設定部）
２９  油圧ポンプ
３０  油圧無段変速機（変速機）
７０  エンジン回転数アップスイッチ（エンジン回転数変更手段）
７１  最高車速アップスイッチ（車速上昇手段）
７２  最高車速ダウンスイッチ（車速減少手段）
７３  通信制御ユニット（制御部）
７５  回転数上限設定ダイヤル（回転数上限設定手段）
【図１】
2015227612.tif 000003
【図２】
2015227612.tif 000004
【図３】
2015227612.tif 000005
【図４】
2015227612.tif 000006
【図５】
2015227612.tif 000007